(57)【要約】    【課題】  ゴルフコースに出なくとも、ゴルフ・プレイで遭遇する種々の状況を手軽に体験することができるゴルフ練習器具を提供することである。    【解決手段】  上面に人工芝（１２ａ）が張られた本体（１２）と、本体の下方に位置し、一辺において本体と回動可能に連結された基台（１４）と、本体を一辺を中心として傾斜させる傾斜手段（１６）とを備えているゴルフ練習器具（１０）が提供される。好ましくは、基台の下方に位置する回転台（１８）を更に備え、回転台の中央に設けられたシャフト（１８ａ）が上方に延びて基台に固定されており、シャフトを回転させることにより、基台及び本体を回転させることができるように構成されている。【選択図】  図１
2006223515.tif 000002
【特許請求の範囲】
【請求項１】
上面に人工芝が張られた本体と、
前記本体の下方に位置し、一辺において前記本体と回動可能に連結された基台と、
前記本体を前記一辺を中心として傾斜させる傾斜手段と、
を備えていることを特徴とするゴルフ練習器具。
【請求項２】
前記基台の下方に位置する回転台を更に備え、
前記回転台の中央に設けられたシャフトが上方に延びて前記基台に固定されており、前記シャフトを回転させることにより、前記基台及び前記本体を回転させることができるように構成されていることを特徴とする請求項１に記載のゴルフ練習器具。
【請求項３】
前記人工芝を昇降させるための芝昇降機構を更に備え、
前記芝昇降機構が、前記本体の最上面に位置する頂板と、前記頂板を支持する支持枠と、前記本体の内部に配置され、上面に人工芝が張られた昇降板と、前記昇降板の下方に配置されたカム手段とを有し、前記頂板に設けられた多数の孔を前記人工芝が貫通しており、前記カム手段を回転させることにより前記頂板を昇降させ、これにより人工芝の高さを調整することができるように構成されていることを特徴とする請求項１又は２に記載のゴルフ練習器具。
【請求項４】
複数の前記頂板を有し、前記支持枠が、複数の前記頂板がそれぞれ嵌め込まれるように構成されており、傷んだ頂板のみを交換することができるようになっていることを特徴とする請求項３に記載のゴルフ練習器具。
【請求項５】
本体と、
前記本体に設けられた凹部内に配置された模擬バンカー部とを備え、
前記模擬バンカー部が、前記凹部の対向面から互いの方へ向かって延びた多数のブラシ毛を有しており、前記ブラシ毛のうち少なくとも下側に位置する部分の先端が、対向するブラシ毛内に入り込むように形成されていることを特徴とするゴルフ練習器具。
【請求項６】
本体と、
前記本体に設けられた凹部内に配置された模擬バンカー部とを備え、
前記模擬バンカー部が、前記凹部の下面からほぼ垂直方向上方に向かって延びた多数のブラシ毛を有していることを特徴とするゴルフ練習器具。
【発明の詳細な説明】
【技術分野】
【０００１】
本発明は一般に、ゴルフ練習器具に関する。より詳細には、本発明は、ゴルフプレイにおける種々の状況をシミュレーションすることができるゴルフ練習器具に関する。
【背景技術】
【０００２】
ゴルフは今や、最も人気のあるスポーツのひとつとなり、ゴルフコースを有するゴルフ場の他に、多数のゴルフ練習施設が営業している。ゴルフ初心者は、ゴルフコースに出る前にゴルフ練習施設で十分に練習するのが通常であり、ゴルフ熟練者も、フォームの点検等をゴルフ練習施設で行う場合が多い。
【発明の開示】
【発明が解決しようとする課題】
【０００３】
ゴルフコースでプレイすると、種々の状況を体験することができるが、時間と費用がかかるという不都合がある。一方、ゴルフ練習施設で練習をすると、ゴルフコースでプレイするのと比較して時間と費用はかからないが、実際のプレイで遭遇する種々の状況をシミュレーションすることができないという課題がある。
【０００４】
本発明は、このような状況に鑑みて案出されたものであって、ゴルフコースに出なくとも、ゴルフ・プレイで遭遇する種々の状況を手軽に体験することができるゴルフ練習器具を提供することを目的としている。
【課題を解決するための手段】
【０００５】
本願請求項１に記載のゴルフ練習器具は、上面に人工芝が張られた本体と、前記本体の下方に位置し、一辺において前記本体と回動可能に連結された基台と、前記本体を前記一辺を中心として傾斜させる傾斜手段とを備えていることを特徴とするものである。
【０００６】
本願請求項２に記載のゴルフ練習器具は、前記請求項１の器具において、前記基台の下方に位置する回転台を更に備え、前記回転台の中央に設けられたシャフトが上方に延びて前記基台に固定されており、前記シャフトを回転させることにより、前記基台及び前記本体を回転させることができるように構成されていることを特徴とするものである。
【０００７】
本願請求項３に記載のゴルフ練習器具は、前記請求項１又は２の器具において、前記人工芝を昇降させるための芝昇降機構を更に備え、前記芝昇降機構が、前記本体の最上面に位置する頂板と、前記頂板を支持する支持枠と、前記本体の内部に配置され、上面に人工芝が張られた昇降板と、前記昇降板の下方に配置されたカム手段とを有し、前記頂板に設けられた多数の孔を前記人工芝が貫通しており、前記カム手段を回転させることにより前記頂板を昇降させ、これにより人工芝の高さを調整することができるように構成されていることを特徴とするものである。
【０００８】
本願請求項４に記載のゴルフ練習器具は、前記請求項３の器具において、複数の前記頂板を有し、前記支持枠が、複数の前記頂板がそれぞれ嵌め込まれるように構成されており、傷んだ頂板のみを交換することができるようになっていることを特徴とするものである。
【０００９】
本願請求項５に記載のゴルフ練習器具は、本体と、前記本体に設けられた凹部内に配置された模擬バンカー部とを備え、前記模擬バンカー部が、前記凹部の対向面から互いの方へ向かって延びた多数のブラシ毛を有しており、前記ブラシ毛のうち少なくとも下側に位置する部分の先端が、対向するブラシ毛内に入り込むように形成されていることを特徴とするものである。
【００１０】
本願請求項６に記載のゴルフ練習器具は、本体と、前記本体に設けられた凹部内に配置された模擬バンカー部とを備え、前記模擬バンカー部が、前記凹部の下面からほぼ垂直方向上方に向かって延びた多数のブラシ毛を有していることを特徴とするものである。
【発明の効果】
【００１１】
本発明のゴルフ練習器具によれば、ゴルフ・プレイで遭遇する種々の状況（例えば、芝生面の傾斜、芝生の長さ、バンカー等）を手軽に体験することができる。また、本発明のゴルフ練習器具をユニット式にすれば、傷んだ部分のみを交換することができるので、経済的に運用することができる。
【発明を実施するための最良の形態】
【００１２】
次に図面を参照して、本発明の好ましい実施の形態に係るゴルフ練習器具について詳細に説明する。図１は、本発明の第１の実施の形態に係るゴルフ練習器具を示した正面図である。図１において全体として参照符号１０で示される本発明の第１の実施の形態に係るゴルフ練習器具は、矩形の本体１２を備えており、本体１２の上面には、人工芝１２ａが張られている。
【００１３】
ゴルフ練習器具１０は又、本体１２の下方に位置し、一辺において蝶番１４ａ等により本体１２と回動可能に連結された基台１４と、本体１２を基台１４の蝶番１４ａを中心として傾斜させる傾斜手段とを備えている。図１には、傾斜手段として、本体１２の底部と基台１４の側部にピン接合された油圧シリンダ１６が示されており、油圧シリンダ１６のピストンロッド１６ａを伸長させることにより、本体１２を傾斜させることができるようになっている（図１（ｂ）参照）。なお、傾斜手段として、油圧シリンダ以外の型式のもの（例えば、モータを利用したもの、ギアのような機械的手段を利用したもの等）を使用してもよい。
【００１４】
好ましくは、ゴルフ練習器具１０は、基台１４の下方に位置する回転台１８を備えている。回転台１８の中央にはシャフト１８ａが設けられており、シャフト１８ａが上方に延びて基台１４に固定されている。これにより、シャフト１８ａを回転させると、基台１４及び本体１２を所望のように回転させることができる。シャフト１８ａの回転は、モータ（図示せず）によって行ってもよいし、ギヤ等の機械的伝動手段を用いて行ってもよい。
【００１５】
なお、図１において、参照符号２０は、本体１２の側部に設置される取り外し式の防護ネットを示している。防護ネット２０は、本体１２の一方の側部にのみ設置されているものとして図示されているが、他の側部に設置してもよい。また、防護ネット２０自体は公知の型式のものを使用してよい。
【００１６】
ゴルフ練習器具１０は好ましくは、本体の上面に張られている人工芝を昇降させるための芝昇降機構３０を備えている。図３（ａ）は、芝昇降機構３０を模式的に示した断面図である。芝昇降機構３０は、本体の最上面に位置する頂板３２と、頂板３２を支持する支持枠３４と、本体の内部に配置され、上面に人工芝３６ａが張られた昇降板３６と、昇降板３６の昇降時に昇降板３６を案内するためのレール３８と、昇降板３６の下方に配置されたカム手段４０とを有しており、頂板３２に設けられた多数の孔（図示せず）を人工芝３６ａが貫通している。なお、カム手段４０は、シャフト４２を中心として回転するようになっており、シャフト４２の回転は、モータ（図示せず）又はギア等の機械的手段（図示せず）によって行われる。
【００１７】
図３（ｂ）、（ｃ）に示されるように、芝昇降機構３０のカム手段４０を回転させることにより、本体上面の芝の高さを所望のように調整することができる。これにより、異なる芝の高さで練習することができる。
【００１８】
ゴルフ練習器具は好ましくは、複数のユニットに分割して形成されている。図４は、ユニット式のゴルフ練習器具５０を模式的に示した図である。ユニット式ゴルフ練習器具５０の本体５２は、支持枠５４と、支持枠５４に嵌め込まれる頂板５６とを有しており、頂板５６の上面に、人工芝５６ａが張られている。ユニット式ゴルフ練習器具５０では、人工芝５６ａが傷んだ部分の頂板５６のみを交換し、傷んでいない部分の頂板５６をそのまま使用することができるので、ゴルフ練習器具５０を経済的に運用することができる。
【００１９】
なお、図４には図示されていないが、ユニット式ゴルフ練習器具５０に、上述の基台１４、傾斜手段１６、回転台１８の全て又はいずれかを組み合わせて使用してもよい。また、ユニット式ゴルフ練習器具５０に、芝昇降機構３０を組み合わせてもよい。
【００２０】
ゴルフ練習器具は好ましくは、ゴルフコースのバンカーを模した模擬バンカー部を備えている。図５は、模擬バンカー部を備えたゴルフ練習器具６０を模式的に示した図である。ゴルフ練習器具６０は、本体６２と、本体６２に設けられ、上方に開放した凹部６４内に配置された模擬バンカー部６６とを備えている。模擬バンカー部６６は、凹部６４の対向面から互いの方へ向かって延びた多数のブラシ毛６６ａを有している。対向面からそれぞれ延びたブラシ毛６６ａのうち少なくとも下側に位置する部分の先端は、対向するブラシ毛６６ａ内に入り込むように形成されている（図６（ａ）参照）。また、ブラシ毛６６ａのうち上側に位置する部分の先端は、互いに接触する程度か或いは先端同士の間に僅かな隙間があるように形成されている（図６（ｂ）参照）。このように構成することにより、実際のバンカーに近い感覚でショットの練習をすることができる（ブラシ毛６６ａが互いの方へ入り込んでいる部分では、ショットの際に重い感触を受ける一方、互いに接触するか或いは僅かな隙間がある部分では、ショットの際に受ける感触が軽くなる）とともに、砂が飛散することがないので室内で練習することができる。なお、ブラシ毛６６ａは、竹や合成樹脂材料等の適当な材料で作られる。
【００２１】
上述の例では、ブラシ毛６６ａがほぼ水平方向に延びるように配置されている（従って、上側の位置する部分と下側に位置する部分の長さを変えなければならない）が、図６（ｃ）に示されるように、対向面から延びるブラシ毛６６ａ′を互いに斜め上方に向くように配置することにより、ブラシ毛６６ａ′の上側の位置する部分と下側に位置する部分の長さを同じにすることができる。この場合には、凹部６４の下部の空間にゴルフボールが入り込まないように、凹部６４の下面に、ほぼ垂直方向に延びたブラシ毛６６ｂを配置するのが好ましい。
【００２２】
或いは、多数のブラシ毛６６ｃが凹部６４の下面からほぼ垂直方向上方に延びるように、模擬バンカー部を構成してもよい（図６（ｄ）参照）。なお、図６（ａ）〜図６（ｄ）において各ブラシ毛６６ａ、６６ａ′、６６ｂ、６６ｃは単線で描かれているが、図６（ｅ）に示されるように、複数本のブラシ毛をまとめて固定してもよい。
【００２３】
なお、ゴルフ練習器具６０においては、本体６２の上面に人工芝を張ってもよいし、或いは、本体６２の上面に滑り止めのゴムマットを敷いてもよい。
【００２４】
本発明は、以上の発明の実施の形態に限定されることなく、特許請求の範囲に記載された発明の範囲内で、種々の変更が可能であり、それらも本発明の範囲内に包含されるものであることはいうまでもない。
【図面の簡単な説明】
【００２５】
【図１】本発明の第１の実施の形態に係るゴルフ練習器具の正面図であって、図１（ａ）は本体が水平な状態、図１（ｂ）は本体を傾斜させた状態を示した図である。
【図２】図１のゴルフ練習器具の平面図である。
【図３】芝昇降機構を示した概略断面図である。
【図４】ユニット式のゴルフ練習器具を示した図であって、図４（ａ）は分解斜視図、図４（ｂ）は断面図である。
【図５】模擬バンカー部を模式的に示した全体平面図である。
【図６】図６（ａ）は図５の線６−６に沿って見た拡大断面図、図６（ｂ）は模擬バンカー部の変形形態を示した図６（ａ）と同様な図、図６（ｃ）は模擬バンカー部の別の変形形態を示した図６（ａ）と同様な図、図６（ｄ）は模擬バンカー部の更に別の実施の形態を示した図６（ａ）と同様な図、図６（ｅ）は図６（ａ）の部分６ｅの拡大図である。
【符号の説明】
【００２６】
１０  ゴルフ練習器具
１２  本体
１４  基台
１４ａ  蝶番
１６  傾斜手段（油圧シリンダ）
１８  回転台
２０  防護ネット
３０  芝昇降機構
５０  ユニット式ゴルフ練習器具
６０  模擬バンカーを備えたゴルフ練習器具
６２  本体
６４  凹部
６６  模擬バンカー部
６６ａ、６６ａ′、６６ｂ、６６ｃ  ブラシ毛
【図１】
2006223515.tif 000003
【図２】
2006223515.tif 000004
【図３】
2006223515.tif 000005
【図４】
2006223515.tif 000006
【図５】
2006223515.tif 000007
【図６】
2006223515.tif 000008